(57)【特許請求の範囲】
【請求項１】
カーテンレール（１）の長手方向の側端から内側に走行自在に挿通される本体（４）と、前記カーテンレールの溝（２）から垂下する前記本体の下部（６）に吊り下げられたカーテン掛け具（５）とからなるカーテンレール用ランナー（３）において、前記カーテンレールの長手方向を左右方向としたとき、前記下部に前後方向に突出して先端が前記カーテンレールの前後面に沿って上方に折れ曲がるウイング（７）を一体に設け、全体として、前記ランナーの左右方向の幅を前記溝の前後幅よりも小さく形成し、カーテンを開けてカーテンレールの一側に寄せると、カーテンはたたまれ、カーテンのたたみ代は、カーテンレールの長手方向に並ぶ左右方向の幅が前記カーテンレール溝の前後幅よりも小さい前記ランナーの合計幅に相応することを特徴とするカーテンレール用ランナー。
【請求項２】
ウイング（７）はカーテンレールの長手方向の中心線を含む鉛直面に関して対称であることを特徴とする請求項１記載のカーテンレール用ランナー。
【発明の詳細な説明】
【０００１】
【発明の属する技術分野】
本発明はカーテンのたたみ代を小さくすることができるカーテンレール用ランナーに関する。
【０００２】
【従来の技術】
カーテンを開けたとき、寄せたカーテンの溜まりを小さくするためには、カーテンレールの長手方向を左右方向とすると、ランナーの左右方向の幅を小さくすることであった。しかし、ランナーの左右幅をカーテンレールの溝の前後幅よりも小さくすると、カーテンを閉める途中でランナーが９０度回転すると、ランナーがカーテンレールから外れるため、従来のランナーは左右幅をカーテンレールの溝の前後幅よりも小さくすることはできなかった。そこで、カーテンレールの溝の前後幅を小さくすると、カーテンレールの大きさは溝の前後幅と関連しているため、溝の前後幅が小さくなるとカーテンレールも小型になるから、大きなカーテンレールのカーテンのたたみ代を小さくすることはできなかった。
【０００３】
【発明が解決しようとする課題】
本発明は上記問題を解決するためになされたものであり、その課題は、カーテンレールの大きさには関係なく、開けて寄せたカーテンのたたみ代を小さくすることができるカーテンレール用ランナーを提供することにある。
【０００４】
【課題を解決するための手段】
前記課題を達成するため、本発明が採用する手段は、カーテンレールの長手方向を左右方向としたとき、カーテンレールの側端から内側に走行自在に挿通される本体と、カーテンレールの溝を通って垂下する本体の下部に吊り下げられたリング、フック、クリップ等のカーテン掛け具とからなるカーテンレール用ランナーにおいて、下部に前後方向に突出し、ついで先端がカーテンレールの前後面に沿って上方に折れ曲がるウイングを一体に形成し、ランナーの全体の左右幅をカーテンレールの溝の前後幅よりも小さくしたことにある。好ましくは、ウイングはカーテンレールを前後に二分する中心線を含む鉛直面に関して対称に形成する。
【０００５】
上記手段により、本発明のランナーは、カーテンを閉じる途中においてランナーが回転しようとすると、ウイングの先端がカーテンレールの前後面に当接してその回転を阻止するから、ランナーの左右幅がカーテンレールの溝の前後幅より小さくてもカーテンレールの溝から外れるおそれは全くない。
【０００６】
カーテンを開けて片側に寄せると、ランナーは相互に密着して並ぶ。並んだランナーの左右の全幅は、カーテンのたたみ代に相応するが、各ランナーの左右幅はカーテンレールの溝の前後幅よりも狭いから、従来の左右幅がカーテンレールの溝の前後幅よりも大きかったランナーが相互に密着して並んだ全幅に比べると格段に狭い。したがって、本発明のランナーを使用したカーテンの折りたたみ代は従来のランナーを使用したものに比べると大幅に小さくなる。
【０００７】
【発明の実施の形態】
本発明を図面に示す実施例に基づいて説明する。
【０００８】
図１、図２及び図３は本発明実施例のランナーを装着したカーテンレールの前面図、底面図及び側面図である。
【０００９】
図１に示すカーテンレール１は従来のものと全く同一であり、底面の中央にカーテンレール１の全長に等しい溝２を有する。カーテンレール１の高さ、前後幅の寸法は溝２の寸法に相応して大きくも小さくもなる。
【００１０】
ランナー３のカーテンレール長手方向の左右幅はカーテンレール１の溝２の前後幅よりも小さい。ランナー３は、従来のものと同様に、本体４とその本体に吊り下げられたカーテン掛け具５とからなる。
【００１１】
本体４はカーテンレール１の内部においてカーテンレール１のランナー走行面を走行する上部と、その上部からカーテンレール１の溝２を通り抜け垂下する下部６からなる。カーテン掛け具５は下部６に吊り下げられる。
【００１２】
下部６から前後方向にウイング７が突出する。ウイング７はカーテンレール１の長手方向の中心線を含む鉛直面に関して対称であり、両側の先端はカーテンレール１の前後面に沿って折れ曲がる。
【００１３】
図示していないが、カーテンを開けてカーテンレールの一側に寄せるとランナーは相互に密着し、カーテンはたたまれる。このカーテンのたたみ代はカーテンレールの長手方向に相互に密着して並ぶランナーの合計幅に相応する。
【００１４】
図１及び図２に示す本発明のランナー３の左右方向の幅はカーテンレール１の溝２の前後幅よりも小さいから、カーテンのランナー３が相互に密着して並んだ長さは、従来の左右幅がカーテンレール１の溝２の前後幅より大きいカーテンのランナーが相互密着して並んだ長さに比べると格段に短い。したがって、本発明のランナー３はカーテンのたたみ代を従来のランナーよりも大幅に小さくすることができる。ランナー３は、カーテンレール１の前後面に沿うウイング７を備えるため、カーテンを閉じる途中においてランナー３が回転しようとすると、ウイング７の両先端がカーテンレール１の前後面に当接してその回転を制止するから、ランナー３が９０度回転してカーテンレール１から外れるおそれはない。
【００１５】
図３に示すように、ランナー３はカーテンレール１の側端を通して長手方向に自由に脱着することが可能である。図１及び図２に示すように、ランナー３を装着後にカーテンレール１の側端にキャップ８を取り付けると、ランナー３がカーテンレール１から脱落することを未然に防止することができる。
【００１６】
【発明の効果】
上記のとおり、従来のランナーは、カーテンレール長手方向の幅をカーテンレールの溝幅よりも小さくすると、回転したときに、カーテンレールから外れるため、カーテンレール長手方向の幅をカーテンレールの溝幅よりも大きくしていたので、カーテンの折りたたみ代を小さくすることができなかった。これに対し、本発明のランナーは、ランナーの長手方向の幅をカーテンレールの溝幅より小さくしても、ウイングがランナーの回転を規制してカーテンレールからの脱落を防止するので、どのような大きさのカーテンレールにおいても、カーテンのたたみ代を従来よりも大幅に小さくすることができるという優れた効果を奏する。
【図面の簡単な説明】
【図１】本発明実施例のランナーを装着したカーテンレールの前面図、
【図２】図１のカーテンレールの底面図、
【図３】図１のカーテンレールの側面図、
【符号の説明】
１：カーテンレール
２：溝
３：ランナー
４：本体
５：カーテン掛け具
６：下部
７：ウイング
８：キャップ
【図１】
0003906905.tif 000002
【図２】
0003906905.tif 000003
【図３】
0003906905.tif 000004